(57)【要約】【課題】搬送ユニットの締め付け固定を１箇所にしながらも安定状態で取付面に固定することができる取り付け構造を提供する。【解決手段】写真フィルムの現像処理を行なうプロセッサＦＰと、現像済み写真フィルムのコマ画像を読み取るスキャナーＦＳと、写真フィルムをスキャナーＦＳへ搬送する搬送ユニットＦＣを装置本体フレームに固定する取り付け構造であって、装置本体フレーム側の取付面１００ａと、これに植設され、係合溝１０２ａを有する取り付けピン１０２と、搬送ユニット側の固定プレート２００と、これの第1の箇所を取付面１００ａに対して結合するネジ２０３と、第２の箇所に設けられ係合溝１０２ａと係合可能な小径部２００ｃと、ネジ２０３と固定プレート２００を連動させるリンク部材２０６とを備え、ネジ２０３による締め付け作用により、第１の箇所を取付面１００ａに対して固定し、リンク部材２０６により、第２の箇所を非係合状態から係合状態へと移行させる【選択図】図５Ａ
2007206413.tif 000002
【特許請求の範囲】
【請求項１】
未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットとを備えたフィルム処理装置において、前記搬送ユニットを装置本体フレームに固定するための取り付け構造であって、
装置本体フレーム側に設けられた取付面と、
この取付面に植設され、係合部を有する取り付け体と、
搬送ユニット側に設けられる被取り付け体と、
この被取り付け体の第1の箇所を前記取付面に対して結合させるための締め付け具と、
被取り付け体の第２の箇所に設けられ前記係合部と係合可能な被係合部と、
前記締め付け具と被取り付け体を連動させるための連動機構とを備え、
前記締め付け具による締め付け作用により、第１の箇所を取付面に対して固定すると共に、前記連動機構により、第２の箇所を非係合状態から係合状態へと移行させることを特徴とする搬送ユニットの取り付け構造。
【請求項２】
前記連動機構は、締め付け具に設けられるリンク部材を含み、このリンク部材に形成されるリンク溝に被取り付け体に設けられるリンク軸が嵌合するように構成されていることを特徴とする請求項１に記載の搬送ユニットの取り付け構造。
【請求項３】
前記取り付け体の係合部は係合溝であり、被取り付け体が取付面に対して平行移動することで、被取り付け体の被係合部が係合溝に係合するように構成されることを特徴とする請求項１又は２に記載の搬送ユニットの取り付け構造。
【発明の詳細な説明】
【技術分野】
【０００１】
本発明は、未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットとを備えたフィルム処理装置において、前記搬送ユニットを装置本体フレームに固定するための取り付け構造に関するものである。
【背景技術】
【０００２】
未現像写真フィルムの現像処理を行なうフィルムプロセッサと、現像済み写真フィルムのコマ画像をデジタル画像データとして取得するためのフィルムスキャナーとを結合して一体化したシステムとしては、下記特許文献１に開示される写真感光材料処理装置が公知である。フィルムプロセッサにおいて、写真フィルムの現像処理及び乾燥処理が終了すると、写真フィルムはフィルムプロセッサから排出されて、搬送ユニットへ送り込まれる。この搬送ユニットにおいて、写真フィルムとフィルムリーダを分離し、カット後の現像済み写真フィルムのみがフィルムスキャナーに引き続き送り込まれて、各コマ画像のスキャニングが行われる。
【０００３】
【特許文献１】特開平１１−２３４４７６号公報
【発明の開示】
【発明が解決しようとする課題】
【０００４】
かかるフィルム処理装置においては、フィルムプロセッサ内におけるトラブルやメンテナンスを行なうためには、カバーを開ける必要がある。このようなメンテナンスなどは１日あるいは数日に１回程度のペースで行なわれている。このようなメンテナンスに対応するためには、フィルムプロセッサの上部や側部に配置される搬送ユニットを取り外さなければならない。従って、搬送ユニットはフィルム処理装置の装置本体フレームに対して取り外し可能な状態で取り付ける必要がある。
【０００５】
搬送ユニットを装置本体フレームに対して取り付ける場合には、最低でも２箇所にネジ結合を行うことで締め付け固定することが好ましいが、搬送ユニットをフィルムプロセッサとフィルムスキャナーの間に配置する関係上、スペース的に２箇所の固定箇所を確保できないことがある。かかる場合に、特に搬送ユニットの重心から離れた位置で１箇所だけを締め付け固定すると、固定後に何らかの外力が搬送ユニットに作用した場合に、締め付け固定した箇所から離れた位置では隙間が生じるなどの問題が発生する。そのために、搬送ユニットの取り付け位置の安定性が確保できなくなると共に、写真フィルムを搬送させるときに搬送経路に歪みなどが生じて、写真フィルムの搬送が蛇行したり詰まりが生じるなどのトラブルが発生する可能性があった。
【０００６】
本発明は上記実情に鑑みてなされたものであり、その課題は、搬送ユニットの締め付け固定を１箇所にしながらも安定した状態で取付面に固定することができる搬送ユニットの取り付け構造を提供することである。
【課題を解決するための手段】
【０００７】
上記課題を解決するため本発明に係る搬送ユニットの取り付け構造は、
未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットとを備えたフィルム処理装置において、前記搬送ユニットを装置本体フレームに固定するための取り付け構造であって、
装置本体フレーム側に設けられた取付面と、
この取付面に植設され、係合部を有する取り付け体と、
搬送ユニット側に設けられる被取り付け体と、
この被取り付け体の第1の箇所を前記取付面に対して結合させるための締め付け具と、
被取り付け体の第２の箇所に設けられ前記係合部と係合可能な被係合部と、
前記締め付け具と被取り付け体を連動させるための連動機構とを備え、
前記締め付け具による締め付け作用により、第１の箇所を取付面に対して固定すると共に、前記連動機構により、第２の箇所を非係合状態から係合状態へと移行させることを特徴とするものである。
【０００８】
かかる構成による取り付け構造による作用・効果を説明する。装置本体フレーム側には搬送ユニットを取り付けるための取付面が設けられ、この取付面に、係合部を有する取り付け体が植設される。一方、搬送ユニット側には取付面に結合される被取り付け体が設けられている。被取り付け体の第１の箇所は、締め付け具により取付面に対して締め付け固定される。また、連動機構の作用により、締め付け具による締め付け作用を行うと、被取り付け体の被係合部が取り付け体の係合部に係合する。第２の箇所は締め付け具による固定ではないが、かかる係合作用により安定した結合状態にすることができる。これにより、第１の箇所の締め付け固定により第１の箇所と第２の箇所の２箇所を同時に結合することができる。その結果、搬送ユニットの締め付け固定を１箇所にしながらも安定した状態で取付面に固定することができる搬送ユニットの取り付け構造を提供することができる。
【０００９】
本発明に係る連動機構は、締め付け具に設けられるリンク部材を含み、このリンク部材に形成されるリンク溝に被取り付け体に設けられるリンク軸が嵌合するように構成されていることが好ましい。
【００１０】
連動機構として、締め付け具にリンク部材を設け、このリンク部材にリンク溝を形成し、これにリンク軸を嵌合させることで、締め付け具の締め付け操作によりリンク軸がリンク溝に沿って移動し、第２の箇所を係合状態にすることができる。これにより、簡単な機構により１つの締め付け具で第１の箇所と第２の箇所の両方を結合することができる。
【００１１】
本発明において、前記取り付け体の係合部は係合溝であり、被取り付け体が取付面に対して平行移動することで、被取り付け体の被係合部が係合溝に係合するように構成されることが好ましい。
【００１２】
被取り付け体を取付面に対して平行移動させることで、取り付け体に形成された係合溝に被係合部を係合させ、第２の箇所を確実に結合することができる。係合溝を設けることで、取付面からの浮き上がりなどを確実に防止することができる。
【発明を実施するための最良の形態】
【００１３】
本発明に係るフィルム処理装置の好適な実施形態を図面を用いて説明する。図１は、フィルムプロセッサＦＰとフィルムスキャナーＦＳで構成されるフィルム処理装置ＦＡと、プリント作成装置ＰＡを有するプリント処理システム１全体の外観構成を示す図である。なお、プリント処理システム１は、その他の装置（例えば、注文者用受付端末、記録媒体への書き込み・読み取り装置、インターネット受け付け可能なＰＣ端末等）を有するものであってもよい。
【００１４】
＜システムの全体構成＞
図１において、フィルム処理装置ＦＡは、未現像写真フィルムの現像処理を行なうフィルムプロセッサＦＰと、このフィルムプロセッサＦＰにより現像処理された現像済み写真フィルムのコマ画像を光電変換によりデジタルの画像データとして取得するためのフィルムスキャナーＦＳとを上下位置に配置する。そして、フィルム処理装置ＦＡは、フィルムプロセッサＦＰの排出部から排出された現像済み写真フィルムをフィルムスキャナーＦＳの供給部へ搬送するための搬送ユニットＦＣを備えている。
【００１５】
このフィルム処理装置ＦＡは、通信回線を介してプリント作成装置ＰＡに接続される。プリント作成装置ＰＡは、通信機能、オーダー管理・制御機能、画像処理機能、プリント作成機能を有し、コンピュータ、ディスプレイ等の表示手段、キーボード、マウス等のインターフェースとを備えている。この構成によりフィルム処理装置ＦＡで取得した画像データは、通信回線を介してプリント作成装置ＰＡに伝送され、このプリント作成装置ＰＡにより印画紙等のプリント媒体に画像がプリントされる。オーダー管理・制御は、画像データをオーダー単位で管理し、プリント作成の順序を設定できるように構成される。
【００１６】
なお、プリント作成装置ＰＡは銀塩式の印画紙を使用するものに限定されず、インクジェット型、昇華型のプリント作成装置を用いてもよい。
【００１７】
本発明において、フィルムプロセッサＦＰにより現像処理される前の写真フィルム（コマ画像が潜像状態のもの）を特に未現像写真フィルムと称し、フィルムプロセッサＦＰにより現像処理された後の写真フィルム（コマ画像が顕在化したもの）を特に現像済み写真フィルムと称することがある。
【００１８】
＜フィルムプロセッサ＞
フィルムプロセッサＦＰは、図１、２に示すように、プロセッサ本体の前部にフィルム挿入部１１を配置し、プロセッサ本体内部に現像処理部１２、乾燥処理部１３とを備え、プロセッサ本体の後部に排出部１４を配置し、フィルム挿入部１１から排出部１４にわたって搬送機構１５を形成している。プロセッサ本体の前部位置には各種情報を表示する液晶ディスプレイ１６ａと複数の操作ボタン１６ｂを有したコントロールパネル１６を備え、プロセッサ本体内部にフィルムプロセッサＦＰ全体の制御を実現する制御ユニット１７を備える。プロセッサ本体の上面には、排出部１４から送りだされる現像済み写真フィルムを受け止めるフィルムストッカー１８が形成されている。
【００１９】
フィルム挿入部１１には、開閉自在な蓋体１１ａを備え、フィルムカートリッジＣａ（もしくはパトローネ）に収容されたロール状の未現像写真フィルムをセットし、搬送機構１５に受け渡す作動系（フィルム駆動機構１１ｅ）と、写真フィルムの後端を切断する切断ユニット１１ｂを備える。
【００２０】
また、写真フィルムの長さの情報を得るために、搬送機構１５によって搬送される写真フィルムの先端及び後端の通過を検出するローディングセンサー１１ｃを備える。ローディングセンサー１１ｃは、一対の光学式センサー（受光式、投光式）で構成される。このローディングセンサー１１ｃは、フィルム先端位置（もしくはフィルムリーダの先端位置）とフィルム後端位置を検出することができる。これら検出された先端位置と後端位置情報に基づいて、写真フィルムの長さ情報を演算する。
【００２１】
ＡＰＳフィルムの現像処理の場合、カートリッジＣａから引き出した写真フィルムの先端にフィルムリーダＬを取り付け、蓋体１１ａを開放して、このフィルムリーダＬが先行するようにフィルム挿入部１１にカートリッジＣａをセットする。写真フィルムＦとフィルムリーダＬとを接続した状態を図３に示す。フィルムリーダＬは、樹脂製のフィルムと同程度の柔軟性を持つシート状部材であり、写真フィルムＦよりも大きな幅寸法を有する。フィルムリーダＬには、多数のパーフォレーションＬａが形成されており、このパーフォレーションＬａと噛み合うスプロケットにより、写真フィルムＦはフィルムプロセッサＦＰ内を搬送される。かかるパーフォレーションＬａを設けることで、フィルムプロセッサＦＰ内をすべりが生じることなく確実に写真フィルムを案内することができる。
【００２２】
パーフォレーションＬａは、図示のようにフィルムリーダＬの中央ではなく、幅方向の片側端部（図３（ｂ）参照）あるいは両端部に形成されていてもよい。写真フィルムＦとフィルムリーダＬとの連結は、図３（ａ）に示すように、フィルムリーダＬに形成された係合突起を写真フィルムＦに形成された孔に挿入することで連結してもよいし、図３（ｂ）に示すように、粘着テープＴにより写真フィルムＦの先端部とフィルムリーダＬとを連結してもよい。使用されるフィルムリーダＬの形状・大きさは予め決まっている。また、フィルムリーダＬと写真フィルムＦの連結は治具を用いて行なうため、フィルムリーダＬに対する写真フィルムＦの連結位置（貼り付け位置）も予め決まっている。
【００２３】
フィルムリーダＬ付きの写真フィルムＦをセットして、蓋体１１ａを閉じた後、コントロールパネル１６の所定の操作ボタン１６ｂを操作することで制御ユニット１７の制御によってフィルム搬送（ローディング）が開始され、現像処理部１２での現像処理と、乾燥処理部１３での乾燥処理の後に排出部１４からフィルムリーダＬを先頭にして写真フィルムが排出される。この場合、カートリッジ検出手段１１ｄがカートリッジＣａを検出して、次いで、蓋体１１ａを閉じると、ローディングが開始され、写真フィルムＦが搬送開始される。
【００２４】
制御ユニット１７は、ローディングを開始するようにフィルムプロセッサＦＰの各要素を制御する。フィルム駆動機構１１ｅが、フィルムリーダＬ及び写真フィルムＦを圧着ローラで狭持しながら現像処理部１２まで搬送し、ローディングセンサー１１ｃが搬送されてきたフィルムリーダＬ及び写真フィルムの先端を検出すると、現像処理部１２及び乾燥処理部１３の搬送機構１５が駆動され、フィルムリーダＬ及び写真フィルムを圧着ローラで挟持して、現像処理部側に搬送する。ここで、フィルム駆動機構１１ｅと搬送機構１５は、別駆動で動作する。なお、フィルムプロセッサＦＰでの「ローディング」とは、フィルムカートリッジＣａから写真フィルムがフィルム駆動機構１１ｅによって引き出され、現像処理部１２に搬送される動作を意味する。
【００２５】
現像処理部１２は、発色現像槽、漂白槽、定着槽、安定槽を有し、現像処理部１２内部において搬送機構１５は、フィルムリーダＬ及び写真フィルムを搬送するためフィルムリーダＬのパーフォレーションＬａと係合する複数のスプロケット機構と圧着ローラ機構１５ａを備えている。また、乾燥処理部１３は、現像処理部１２から搬送されてきた写真フィルムを乾燥するブロワ１３ａを備える。同様に、乾燥処理部１３にも上記スプロケット機構と圧着ローラ機構が備えられている。搬送機構１５は、スプロケット機構と圧着ローラ機構１５ａと、これらを電動モータ（不図示）で同期駆動する駆動系を備えている。
【００２６】
排出部１４には、現像済み写真フィルムをフィルムプロセッサＦＰから排出するための排出ローラ１５ｂが設けられている。排出ローラ１５ｂにより排出された写真フィルムは、搬送ユニットＦＣに受け渡されフィルムスキャナーＦＳへと搬送されることになる。
【００２７】
フィルムスキャナーＦＳは、図１，２に示すように、スキャナー本体の下部にフィルムキャリア２１を配置し、このフィルムキャリア２１の下側に光源ユニット２２を、フィルムキャリア２１の上側にズームレンズ２３と光電変換ユニット２４とを配置している。スキャナー本体の内部にスキャナー制御部２５（制御ユニット）を配置している。フィルムスキャナーＦＳは、フィルムプロセッサＦＰに固定されており、排出部１４の排出ブロック上部位置に配置されている。
【００２８】
フィルムキャリア２１は、フィルムプロセッサＦＰの前部と同じ方向に現像済み写真フィルムの供給部２１ａを形成し、この供給部２１ａからフィルムを後部側に搬送しながらスキャニングを行えるように構成される。なお、フィルムキャリア２１に写真フィルムを送り出す前に、搬送ユニットＦＣにおいて写真フィルムからフィルムリーダＬを切り離す処理がなされる。また、フィルムキャリア２１は、搬送ローラ２１ｂを駆動する搬送モータ（不図示）を備える。
【００２９】
光源ユニット２２は、Ｒ（赤）、Ｇ（緑）、Ｂ（青）の３原色の発光ダイオード（不図示）を有し、ズームレンズ２３は、焦点距離の調節によって、写真フィルムのコマの情報を設定された拡大率で光電変換ユニット２４の光電変換面に結像させる。この光電変換ユニット２４は、Ｒ（赤）、Ｇ（緑）、Ｂ（青）の３原色に対応してＣＣＤ等の光電変換素子でなる３つのラインセンサ（不図示）を備える。
【００３０】
＜搬送ユニットの構成＞
次に、フィルムプロセッサＦＰから排出された現像済み写真フィルムをフィルムスキャナーＦＳへ搬送するための搬送ユニットＦＣの構成を図４により説明する。図４に示すように、フィルムプロセッサＦＰの排出部１４には、排出ローラ１５ｂが設けられている。
【００３１】
搬送ユニットＦＣは、フレームに固定された搬送ブロックＢと、所定の軸芯周りに回転可能に取り付けられたチャッカーＣとを備えている。搬送ブロックＢの下側のブロック部の上流側端部には、フィルムガイド３０が設けられており、軸芯３０ａ周りに回転可能に軸支されている。フィルムガイド３０は、搬送すべき写真フィルムの幅寸法に対応したガイド部を備えており、図４に示す第１位置と想像線で示す第２位置との間をガイド切替ソレノイド３１によりいずれかの位置に切り替えられる。第１位置にセットされているときは、写真フィルムをフィルムスキャナーＦＳの方向に導くことができる。第２位置にセットしているときは、写真フィルムはフィルムストッカー１８に排出される。
【００３２】
搬送経路に沿って、上流側の搬送ローラ対３２ａと下流側の搬送ローラ対３２ｂとからなるローラ搬送機構３２が設けられている。各搬送ローラ対３２ａ，３２ｂは、駆動ローラと圧着ローラにより構成され、第１駆動モータ（図示せず）により同期駆動される。下流側の搬送ローラ対３２ｂの上流側近傍に第１フィルムセンサー３３とリーダセンサー３４が設けられている。これらのセンサーは、発光素子と受光素子からなる光センサーであり、写真フィルムやフィルムリーダがセンサー位置を通過すると、透光状態から遮光状態に切り換わることで検出を行なう。第１フィルムセンサー３３とリーダセンサー３４は、図４の紙面に直交する方向から見ると同じ位置に配置されているが、幅方向において異なる位置に配置されており、写真フィルムとフィルムリーダを別々に検出することができる。
【００３３】
下流側搬送ローラ対３２ｂの更に下流側には、写真フィルムとフィルムリーダを切り離すためのカッター３５が設けられており、カットモータ３６により駆動される。カットされたフィルムリーダはリーダーストッカー１９に回収される。カッター３５のすぐ下流側には、第２フィルムセンサー３７が設けられており、フィルムリーダの先端や写真フィルムの先端を検出する。第２フィルムセンサー３７も第１フィルムセンサー３３と同様の光センサーで構成することができる。
【００３４】
チャッカーＣはフィルムリーダが切り離された写真フィルムの先端部を挟持ローラ対４０により挟持し、フィルムスキャナーＦＳの供給部２１ａへと搬送する。チャッカーＣは、チャッカー駆動モータにより軸芯４１回りに回転可能に設けられている。チャッカーＣは、図４に示すような写真フィルムを受け取る受け取り位置と、写真フィルムをフィルムスキャナーＦＳに受け渡し可能な受け渡し位置の間を回転可能であり、更に、ループボックス５０内にループを形成するためにループ形成位置において中間停止することができる。
【００３５】
搬送ユニットＦＣの右側の空間はループボックス５０であり、写真フィルムがループを形成するための空間部が形成されている。搬送ユニットＦＣの上部には、第１ガイド部６０と第２ガイド部６１が設けられており、夫々写真フィルムを搬送するための搬送経路６０ａ，６１ａが形成されている。チャッカーＣが受け渡し位置に回転してきたときは、第２ガイド部６１は経路外に退避するように移動し、第１ガイド部６０の搬送経路６０ａに写真フィルムが受け渡される。
【００３６】
ループボックス５０の上方には第１排出経路５１と第２排出経路５２が設けられている。フィルムスキャナーＦＳによるコマ画像の読み取りが終了した写真フィルムは、第１ガイド部６０と第２ガイド部６１を逆方向に搬送され、第１排出経路５１へと導かれる。第１排出経路５１の終端はフィルムストッカー１８へと連結されており、スキャニングを終了した写真フィルムはフィルムストッカー１８に回収される。
【００３７】
フィルムプロセッサＦＰにより現像処理された写真フィルムは、搬送ユニットＦＣを介して自動的にフィルムスキャナーＦＳに送り込まれるが、手動でフィルムスキャナーＦＳに写真フィルムを供給することもできる。この場合は、第２ガイド部６１を開いて、手動で写真フィルムを第１ガイド部６０ａを介して供給部２１ａから供給する。例えば、焼き増しプリントの依頼で写真フィルムの現像処理を行わない場合は、手動で写真フィルムをフィルムスキャナーＦＳに供給する。手動で挿入された写真フィルムは、第２排出経路５２から排出されるように構成されている。
【００３８】
フィルムスキャナーＦＳには、搬送経路に沿って搬送ローラ２１ｂが配置されており、その途中に読み取り用の開口部２１ｃが設けられる。この開口部２１ｃの位置に読み取り光軸ＳＬが設定される。供給部２１ａには、ローディングセンサー２６が設けられており、写真フィルムの先端が搬送されてきたことを検出する。この検出に基づいて、各搬送ローラ２１ｂを回転させるための駆動モータを駆動する。また、ローディングセンサー２６とは別にレディセンサー２７が設けられており、このレディセンサー２７による検出タイミングを基準として、写真フィルムの画像スキャニング開始が制御される。
【００３９】
＜搬送ユニットの取り付け構造＞
次に搬送ユニットＦＣの取り付け構造について説明する。図５は、搬送ユニットＦＣを装置本体フレームから分離した状態を示している。フィルムプロセッサＦＰの搬送系にトラブルが生じた場合やメンテナンスを行う場合には、フィルムプロセッサＦＰの上部のカバーを開ける必要がある。そのために、フィルムプロセッサＦＰの上部に位置している搬送ユニットＦＣを取り外し可能な構成にしている。搬送ユニットＦＣは図のＴで示す箇所においてのみ、装置本体フレームに対して結合される。
【００４０】
次に、取り付け構造の詳細を説明する。図５Ａ、図６は取り付け構造の要部斜視図を示し、図７は取り付け構造の要部平面図を示す。装置本体フレーム側には、取り付けブロック１００が設けられており、搬送ユニットＦＣを取り付けるための垂直な取付面１００ａが形成される。取付面１００ａの第１の箇所には位置決めピン１０１が植設され、第２の箇所には取り付けピン１０２（取り付け体に相当）が植設され、これら位置決めピン１０１と取り付けピン１０２は所定の間隔を隔てて配置されている。取り付けピン１０２には、他の部分とは小径に形成された係合溝１０２ａ（係合部に相当）が設けられており、取付面１００ａから近い位置に設けられる。位置決めピン１０１と取り付けピン１０２の先端部１０１ｂ，１０２ｂにはテーパが形成されており、搬送ユニットＦＣの取り付けをスムーズに行なうことができる。位置決めピン１０１と取り付けピン１０２は、取付面１００ａに対して圧入等の方法により固定される。
【００４１】
搬送ユニットＦＣ側には、固定プレート２００とこの固定プレート２００と一体結合されるカバー体２０１（これらは、被取り付け体に相当）が設けられている。図５Ａはカバー体２０１を取り付けた状態を示すが、図６はカバー体２０１を取り外して固定プレート２００を分かりやすく図示している。固定プレート２００の第１の箇所の側にはＵ溝２００ａが形成されている。固定プレート２００、搬送ユニットＦＣ全体を支持するフレーム部材と連結されており、固定プレート２００を取り付けブロック１００に固定することで、搬送ユニットＦＣを装置本体に固定できることになる。
【００４２】
固定プレート２００の第２の箇所の側には、だるま穴２００ｂが形成されており、その小径部２００ｃ（被係合部に相当）は取り付けピン１０２の係合溝１０２ａに係合することができる。だるま穴２００ｂの大径部は、取り付けピン１０２の外形を通過させるに十分な直径を有している。
【００４３】
カバー体２０１の第１の箇所の側には異形穴が形成されており、そのＵ字部２０１ａが位置決めピン１０１の外形に嵌合可能に構成されている。カバー体２０１の第２の箇所の側には穴２０１ｂが形成されており、取り付けピン１０２の外形を通過させるに十分な直径を有している。固定プレート２００とカバー体２０１とは、結合ピン２０２により結合されている。
【００４４】
固定プレート２００を取付面１００ａに固定するための締め付けネジ２０３（締め付け具に相当）が設けられている。締め付けネジ２０３の一端側には雄ねじ２０３ａが形成されており、取付面１００ａの第１の箇所に形成された雌ねじ１００ｂと螺合することができる。締め付けネジ２０３の他端側には操作つまみ２０３ｂが設けられており、搬送ユニットＦＣの着脱を行なう時には、オペレータにより手動操作される。
【００４５】
固定プレート２００のＵ字溝２００ａの位置には、リンク軸２０４が取り付けられる。リンク軸２０４の上下端部がネジ２０５によりＵ字溝２００ａの位置に固定される。また、リンク軸２０４の中央部はリンク嵌合部２０４ａを構成する（図６参照）。
【００４６】
締め付けネジ２０３の先端側には、リンク部材２０６が取り付けられる。リンク部材２０６には、リンク溝２０６ａが形成されており、リンク軸２０４のリンク嵌合部２０４ａが嵌合する。リンク溝２０６ａは、取付面１００ａに対して傾斜した角度で取り付けられており、リンク嵌合部２０４ａがこのリンク溝２０６ａに沿って摺動可能である。これらリンク軸２０４とリンク部材２０６は、締め付け具（締め付けネジ２０３）と被取り付け体（固定プレート２００）を連動させる連動機構として機能する。
【００４７】
リンク部材２０６には取り付け円筒部２０６ｂが設けられており、締め付けネジ２０３の小径部２０３ｃが貫通している（図７参照）。この構成により、リンク部材２０６に対して締め付けネジ２０３はその軸方向に相対的に移動することはできないようになっているが、リンク部材２０６に対して回転することは許容されている。従って、締め付けネジ２０３を回転させながら前進させると、リンク部材２０６も一緒に前進する。
【００４８】
＜取り付け操作＞
次に、上記の取り付け構造において搬送ユニットＦＣを取り付けブロック１００に取り付けるときの動作について図８により説明する。固定プレート２００を取付面１００ａに当接させて、締め付けネジ２０３を操作していくと、締め付けネジ２０３は軸方向に前進する。この前進に伴い、リンク部材２０６も前進し、リンク溝２０６ａに嵌合しているリンク軸２０４が溝に沿って移動するため、固定プレート２００は図８に示すように取付面１００ａに平行な方向に沿って移動する。
【００４９】
この移動に伴い、固定プレート２００の小径部２００ｃが取り付けピン１０２の係合溝１０２ａに係合する。結合が完了した状態を図９の斜視図（カバー体２０１は不図示）に示す。第１の箇所は締め付けネジ２０３のネジ結合力により固定され、第２の箇所は取り付けピン１０２による係合力により、取付面１００ａから分離することを防止できる。このように、１本の締め付けネジ２０３を操作するだけで、２箇所を確実に固定することができる。搬送ユニットＦＣを取り外す場合は、今と逆の操作を行なえばよい。
【００５０】
搬送ユニットＦＣの装置本体フレームに対する位置決めは、固定プレート２００の小径部２００ｃが取り付けピン１０２の係合溝１０２ａへ嵌合することと、カバー体２０１のＵ字部２０１ａが位置決めピン１０１の外形に嵌合することで行なわれる。
【００５１】
＜取り付け構造の別実施形態＞
上記実施形態において、固定プレート２００とカバー体２０１が結合されて一体に移動するように構成しているが、固定プレート２００のみが移動するように構成してもよい。この場合、カバー体２０１は固定プレート２００とユニット化されているが、固定プレート２００はカバー体２０１に対して相対的に移動することができる。装置本体側への位置決めは、カバー体２０１に形成されるU字部２０１ａと孔２０１ｃを位置決めピン１０１と取り付けピン１０２に夫々嵌合させることで行うことができる。固定プレート２００の作用については、本実施形態で説明したのと同じようにすることができる。
【００５２】
＜別実施形態＞
本実施形態において、取付面は塊状の取り付けブロックに形成されているが、金属プレートにより製作されるフレームにより取付面を構成してもよい。取付面は垂直面ではなく傾斜した面であってもよい。固定プレートとカバー体を一体化した部材により構成してもよい。締め付け具はネジ以外の構造の結合機構を用いてもよい。
【図面の簡単な説明】
【００５３】
【図１】フィルム処理装置を有するプリント処理システム全体の外観構成を示す図
【図２】フィルム処理装置の全体構成を示す断面図
【図３】写真フィルムとフィルムリーダを連結した状態を示す図
【図４】搬送ユニットの構成を示す断面図
【図５】搬送ユニットの装置本体に対する取り付けを示す図
【図５Ａ】取り付け構造の要部を示す斜視図
【図６】取り付け構造の要部を示す斜視図
【図７】取り付け構造の要部を示す平面図
【図８】取り付け操作を示す動作図
【図９】取り付け完了状態を示す要部斜視図
【符号の説明】
【００５４】
１          プリント処理システム
１００      取り付けブロック
１００ａ    取付面
１００ｂ    雌ねじ
１０１      位置決めピン
１０２      取り付けピン
１０２ａ    係合溝
２００      固定プレート
２００ａ    Ｕ字溝
２００ｂ    だるま穴
２００ｃ    小径部
２０１      カバー体
２０２      ピン
２０３      締め付けネジ
２０３ａ    雄ねじ
２０３ｂ    操作つまみ
２０３ｃ    小径部
２０４      リンク軸
２０４ａ    嵌合部
２０５      ネジ
２０６      リンク部材
２０６ａ    リンク溝
Ｆ          写真フィルム
ＦＰ        フィルムプロセッサ
ＦＡ        フィルム処理装置
ＦＣ        搬送ユニット
ＦＳ        フィルムスキャナー
Ｃ          チャッカー
Ｌ          フィルムリーダ
【図１】
2007206413.tif 000003
【図２】
2007206413.tif 000004
【図３】
2007206413.tif 000005
【図４】
2007206413.tif 000006
【図５】
2007206413.tif 000007
【図５Ａ】
2007206413.tif 000008
【図６】
2007206413.tif 000009
【図７】
2007206413.tif 000010
【図８】
2007206413.tif 000011
【図９】
2007206413.tif 000012